(57)【要約】【課題】騒音の小さい記録装置を提供する。【解決手段】排出サポート１０４をプラテン３４に対して突出および収納する制御手段を備え、制御手段は、前回の記録動作から所定時間以上経過している場合には、排出サポート１０４を動作させない。【選択図】　　　　図１２
2004009693.tif 000002
【特許請求の範囲】
【請求項１】
記録ヘッドにより被記録媒体に記録を行う記録装置において、
被記録媒体の搬送方向に対して前記記録ヘッドより下流側で被記録媒体を支持する支持部材と、
前記支持部材を保持する保持部材と、
前記支持部材を前記保持部材に対して突出および収納する制御手段と、
を備え、該制御手段は、前回の記録動作から所定時間以上経過している場合には、前記支持部材を動作させないことを特徴とする記録装置。
【請求項２】
記録ヘッドにより被記録媒体に記録を行う記録装置において、
被記録媒体の搬送方向に対して前記記録ヘッドより下流側で被記録媒体を支持する支持部材と、
前記支持部材を保持する保持部材と、
前記支持部材を前記保持部材に対して突出および収納する制御手段と、
を備え、該制御手段は、記録装置の電源ＯＮ後、最初の記録のときは、前記支持部材を動作させないことを特徴とする記録装置。
【請求項３】
記録ヘッドにより被記録媒体に記録を行う記録装置において、
被記録媒体の搬送方向に対して前記記録ヘッドより下流側で被記録媒体を支持する支持部材と、
前記支持部材を保持する保持部材と、
前記支持部材を前記保持部材に対して突出および収納する制御手段と、
記録された被記録媒体を積載する排出トレイと、
前記排出トレイに被記録媒体が積載されているかを検出する検出手段と、
を備え、前記制御手段は、前記検出手段により前記排出トレイに被記録媒体が積載されていないことを検出すると、前記支持部材を動作させないことを特徴とする記録装置。
【請求項４】
記録ヘッドにより被記録媒体に記録を行う記録装置において、
被記録媒体の搬送方向に対して前記記録ヘッドより下流側で被記録媒体を支持する支持部材と、
前記支持部材を保持する保持部材と、
前記支持部材を前記保持部材に対して突出および収納する制御手段と、
を備え、該制御手段は、前回記録を行った記録シートとの濃度が所定値以下の場合は前記支持部材を動作させないことを特徴とする記録装置。
【請求項５】
前記記録ヘッドは、インクを吐出可能なインクジェット記録ヘッドであることを特徴とする請求項１ないし４のいずれか１項に記載の記録装置。
【請求項６】
前記インクジェット記録ヘッドは、インクに与える熱エネルギーを発生するための電気熱エネルギー変換体を備えていることを特徴とする請求項５に記載の記録装置。
【発明の詳細な説明】
【０００１】
【発明の属する技術分野】
本発明は、記録ヘッドによって記録が行われる紙等の被記録媒体を搬送するための被記録媒体搬送機構を有する記録装置に関する。
【０００２】
【従来の技術】
一般に、インクジェット記録装置は、記録ヘッドからインクの飛翔液滴を吐出することによって被記録媒体に記録を行うものである。インクジェット記録装置は、記録ヘッドのコンパクト化が容易であり、高精細な画像を高速に記録することが可能であり、ランニングコストが安く、ノンインパクト方式であるため低騒音であり、多色のインクを使用してカラー画像を記録するのが容易であるなどの様々な利点を有している。
【０００３】
このようなインクジェット記録装置では、記録ヘッドによって記録された記録シートは、記録領域においてプラテンによって保持され、記録シートの搬送方向の下流側に設けられた排出手段によって排出される。
【０００４】
従来のインクジェット記録装置について図１６〜図１９を参照して説明する。図１６は、従来のインクジェット記録装置の全体構成を示す斜視図である。図１７は、従来のインクジェット記録装置の全体構成を示す断面図である。図１８は、従来のインクジェット記録装置における、搬送ローラ、ピンチローラ、拍車、排出ローラ等の位置関係を模式的に表した斜視図である。図１９は、従来のインクジェット記録装置における、拍車、排出ローラ等の位置関係を模式的に表した断面図である。
【０００５】
図１７に示すように、被記録媒体である記録シートＰは、給送部２に積載されており、給送ローラ２２によって上部から１枚ずつ給送される。給送ローラ２２によって給送された記録シートＰは、搬送ローラ３６とピンチローラ３７とによって挟持され、駆動源（不図示）によって駆動される搬送ローラ３６によってプラテン３４上の記録開始位置まで搬送される。
【０００６】
記録ヘッド７は、キャリッジ５０に着脱可能に取り付けられている。キャリッジ５０は、軸８１に軸支されており、記録シートＰの搬送方向と直交する方向に移動可能となっている。つまり、記録ヘッド７は、記録シートＰの搬送方向と直交する方向に移動しながら記録シートＰに記録を行う。
【０００７】
排出ローラ軸４１は、伝達ローラ４０を介して搬送ローラ３６の回転力によって駆動される。図１８に示すように、排出ローラ軸４１には、記録シートＰを搬送するために、軸方向に複数のエラストマーやゴムからなる排出ローラ４１ａが設けられている。排出ローラ４１ａに圧接する拍車４２は、記録が終了した記録面に接触するため、記録された画像のインクがなるべく拍車４２に転移しないように先端をとがらせた形状である。
【０００８】
記録シートＰは、その先端が排出ローラ４１ａと拍車４２とで挟持される前は、搬送ローラ３６とピンチローラ３７とで搬送され、その後端がピンチローラ３７から外れた後は、排出ローラ４１ａと拍車４２とによって搬送され、排出トレイ１００へ排出、収容される。
【０００９】
プラテン３４の上面には、記録シートＰの搬送方向に延びる複数の凸リブ３４ａが形成されており、その下流側に凸リブ３４ａに対応する位置に拍車４２が設けられている。プラテン３４の凸リブ３４ａと拍車４２とを、記録シートＰの搬送方向に平行な同一直線上に配置することによって、図１９に示すように、記録シートＰにインクが付与されたときに発生するシートの波打ち（以下コックリングと称する。）の上部を、拍車４２および凸リブ３４ａで規制している。そのため、コックリングは、凸リブ３４ａと凸リブ３４ａとの間で下凸となり、記録領域における記録シートＰの上方への浮き量を最小限に抑えることができる。
【００１０】
このようなコックリングは、特に記録シートに対して浸透系である染料カラーインクをベタで記録したときに発生し易い。そのため、インクジェット記録装置においては、安定した記録を行うために上述のような構成でコックリングの影響を極力排除し、記録シートＰの表面と記録ヘッド７との間隔を保つようにしなければならない。
【００１１】
一方、インクジェット記録装置では、近年、黒画像の濃度を向上させるために黒インクを顔料系インクとしている。顔料系インクは、記録シートへ付与した後の乾燥、定着にかなりの時間を要する。そのため、このような顔料系インクを用いた場合には、その先端部が記録シートの排出の際にインクがまだ乾いていない前ページのシートの上面を擦ることにより画像が乱れてしまうという問題が発生する。この現象をスミアと呼ぶ。
【００１２】
記録装置１の排出部４は、このスミアの対策として、図１７に示すような排出サポート４７を有している。この排出サポート４７は、記録後の記録シートＰを支持し、記録シートＰにインクを付与されてから排出トレイ１００に着地するまでの時間を長くして、その間に既に排出されたシート上のインクを乾燥させるためのものである。
【００１３】
従来の記録装置１では、排出サポート４７はプラテン３４に収納されている。そして、図１７に示すように、記録の際にはプラテン３４から引き出され、プラテン３４から突出した状態となる。排出サポート４７は、記録シートＰの幅方向に複数個設けられている。
【００１４】
各排出サポート４７は、プラテン３４より突出した状態において、記録シートＰを記録領域における水平面よりも上方へ案内し、記録シートＰの自重により記録シートＰにコシを与えながら記録シートＰを支持する。記録装置１では、排出サポート４７を備えることによって、記録シートＰが記録されてから排出トレイ部１００に着地するまでの時間を大きくとることができる。
【００１５】
【発明が解決しようとする課題】
しかし、排出サポート４７は記録シートへ記録を行う際に毎シートごとに突出および収納するため、駆動モータや排出サポートに関する部材が動作する動作音が発生し、騒音が大きいという問題があった。
【００１６】
本発明は上記事情に鑑みなされたもので、騒音の小さい記録装置を提供することを目的とする。
【００１７】
【課題を解決するための手段】
上記目的を達成するため、本発明に係る記録装置の一態様は、記録ヘッドにより被記録媒体に記録を行う記録装置において、被記録媒体の搬送方向に対して前記記録ヘッドより下流側で被記録媒体を支持する支持部材と、前記支持部材を保持する保持部材と、前記支持部材を前記保持部材に対して突出および収納する制御手段と、を備え、該制御手段は、前回の記録動作から所定時間以上経過している場合には、前記支持部材を動作させないことを特徴とする。
【００１８】
また、記録ヘッドにより被記録媒体に記録を行う記録装置において、被記録媒体の搬送方向に対して前記記録ヘッドより下流側で被記録媒体を支持する支持部材と、前記支持部材を保持する保持部材と、前記支持部材を前記保持部材に対して突出および収納する制御手段と、を備え、該制御手段は、記録装置の電源ＯＮ後、最初の記録のときは、前記支持部材を動作させないことを特徴とする。
【００１９】
また、記録ヘッドにより被記録媒体に記録を行う記録装置において、被記録媒体の搬送方向に対して前記記録ヘッドより下流側で被記録媒体を支持する支持部材と、前記支持部材を保持する保持部材と、前記支持部材を前記保持部材に対して突出および収納する制御手段と、記録された被記録媒体を積載する排出トレイと、前記排出トレイに被記録媒体が積載されているかを検出する検出手段と、を備え、前記制御手段は、前記検出手段により前記排出トレイに被記録媒体が積載されていないことを検出すると、前記支持部材を動作させないことを特徴とする。
【００２０】
また、記録ヘッドにより被記録媒体に記録を行う記録装置において、被記録媒体の搬送方向に対して前記記録ヘッドより下流側で被記録媒体を支持する支持部材と、前記支持部材を保持する保持部材と、前記支持部材を前記保持部材に対して突出および収納する制御手段と、を備え、該制御手段は、前回記録を行った記録シートとの濃度が所定値以下の場合は前記支持部材を動作させないことを特徴とする。
【００２１】
以上の構成によれば、騒音の小さい記録装置を提供することができる。
【００２２】
【発明の実施の形態】
以下、本発明の実施の形態を図面に基づいて説明する。
【００２３】
〔第１の実施形態〕
本発明の第１の実施形態の記録装置について、図１、図２を参照して説明する。全図において、同一の符号がつけられている構成要素は、すべて同一のものを示す。
【００２４】
図１、図２に示すように、記録装置１０１は、給送部２と、搬送部３と、排出部４と、キャリッジ部５と、クリーニング部６とから構成される。以下に、図１、図２を用いて、（１）給送部２、（２）搬送部３、（３）キャリッジ部５、（４）クリーニング部６について説明し、さらに、本実施形態の記録装置の特徴である（５）排出部４について詳細に説明する。
【００２５】
（１）給送部
給送部２では、記録シートＰを積載する圧板２１と、記録シートＰを給送する給送回転体２２とが、ベース２０に取り付けられている。圧板２１には、可動サイドガイド２３が移動可能に設けられており、可動サイドガイド２３は、記録シートＰの積載位置を規制している。圧板２１は、軸３８を中心にベース２０に回動可能に結合されており、圧板バネ２４により給送回転体２２に付勢される。給送回転体２２と対向する圧板２１の部位には、記録シートＰの重送を防止する人工皮革等の摩擦係数の大きい材質からなる分離パッド２５が設けられている。
【００２６】
さらに、ベース２０には、記録シートＰの一方向の角部を覆い、記録シートＰを１枚ずつ分離するための分離爪２６と、分離爪２６によって分離することができない厚紙等を分離するために、ベース２０に一体形成された土手部２７と、普通紙ポジションでは分離爪２６が作用し、厚紙ポジションでは分離爪２６が作用しないように切り替えるための切り替えレバー２８と、圧板２１と給送回転体２２との当接を解除するリリースカム２９とが設けられている。
【００２７】
記録装置１０１では、待機状態においては、リリースカム２９が圧板２１を所定の位置に押し下げている。これにより、圧板２１と給送回転体２２との当接は解除される。そして、この状態で搬送ローラ３６の有する駆動力がギア等により給送回転体２２およびリリースカム２９に伝達されると、リリースカム２９が圧板２１から離れ、圧板２１が上昇して給送回転体２２と記録シートＰとが当接する。そして、給送回転体２２の回転に伴って記録シートＰがピックアップされて給送が開始される。
【００２８】
給送された記録シートＰは、分離爪２６によって１枚ずつ分離されて搬送部３に送られる。給送回転体２２およびリリースカム２９は、記録シートＰを搬送部３に送り込むまで回転し、再び、記録シートＰと給送回転体２２との当接を解除した待機状態となって、搬送ローラ３６からの駆動力は切断される。
【００２９】
（２）搬送部
搬送部３は、記録シートＰを搬送する搬送ローラ３６とペーパーエンド（以下、ＰＥ）センサ３２とを有している。搬送ローラ３６には、従動するピンチローラ３７が当接して設けられている。ピンチローラ３７は、ピンチローラガイド３０に回動可能に保持されている。また、ピンチローラガイド３０をピンチローラバネ３１で付勢し、ピンチローラ３７を搬送ローラ３６に圧接させることによって記録シートＰの搬送力が生み出されている。
【００３０】
さらに、記録シートＰが搬送されてくる搬送部３の入口には、記録シートＰをガイドする上ガイド３３およびプラテン３４が配設されている。また、上ガイド３３には、記録シートＰの先端や後端を検知したことをＰＥセンサ３２に伝えるためのＰＥセンサレバー３５が設けられている。
【００３１】
上記構成において、搬送部３に送られた記録シートＰは、プラテン３４、ピンチローラガイド３０および上ガイド３３に案内されて、搬送ローラ３６とピンチローラ３７とから構成されるローラ対に送られる。このとき、ＰＥセンサ３２は、ＰＥセンサレバー３５によって搬送されてきた記録シートＰの先端を検知する。記録装置１０１は、検知された記録シートＰの先端に基づいて記録シートＰの記録位置を求めている。
【００３２】
記録シートＰは、ラインフィード（以下、ＬＦ）モータ（不図示）によりローラ対（３６、３７）が回転することでプラテン３４上に搬送される。なお、記録ヘッド７は、インクタンクが着脱可能である。記録ヘッド７は、電気熱エネルギー変換体であるヒータ等により内部のインクに熱を与えることが可能である。この熱によって、記録ヘッド７内のインクが膜沸騰し、この膜沸騰による気泡の成長または収縮によって生じる圧力変化によって記録ヘッド７のノズルからインクが吐出され、記録シートＰ上に画像が形成される。
【００３３】
（３）キャリッジ部
キャリッジ部５は、記録ヘッド７を取り付けるキャリッジ５０を有している。キャリッジ５０は、記録シートＰの搬送方向と交差する方向に往復走査させるためのガイド軸８１と、キャリッジ５０の後端を保持して記録ヘッド７と記録シートＰ間の隙間を維持するガイドレール８２とによって支持されている。なお、ガイド軸８１およびガイドレール８２は、シャーシ８に取り付けられている。
【００３４】
また、キャリッジ５０は、シャーシ８に取り付けられたキャリッジモータ８０によりタイミングベルト８３を介して駆動される。タイミングベルト８３は、アイドルプーリ８４によって張設、支持されている。さらに、キャリッジ５０には、記録装置１０１内の電気基板（不図示）から記録ヘッド７に記録信号を伝えるためのフレキシブル基板（不図示）を備えている。キャリッジ５０への記録ヘッド７の着脱動作や、記録ヘッド７へのインクタンクの着脱動作は、不図示の操作キーを押すとキャリッジ５０が移動する所定の位置で行われる。
【００３５】
上記構成において、記録シートＰに画像形成する場合には、画像を形成する行位置（記録シートＰの搬送方向の位置）にローラ対（３６、３７）が記録シートＰを搬送するとともに、キャリッジモータ８０によってキャリッジ５０を画像形成する列位置（記録シートＰの搬送方向と交差する位置）に移動させて、記録ヘッド７を画像形成位置に対向させる。その後、記録ヘッド７が、電気基板からの記録信号に応じて記録シートＰに向けてインクを吐出することによって画像が形成される。
【００３６】
（４）クリ−ニング部
クリーニング部６は、記録ヘッド７のクリーニングを行うポンプ６０と、記録ヘッド７の乾燥を抑えるためのキャップ６１と、搬送ローラ３６からの駆動力を給送部２及びポンプ６０に切り替える駆動切り替えアーム６２とから構成されている。
【００３７】
記録装置１０１では、給送、クリーニング以外の動作を行う場合には、駆動切り替えアーム６２が搬送ローラ３６の軸心を中心に回転する遊星ギア（不図示）を所定位置に固定しているので、給送部２およびポンプ６０に、搬送ローラ３６からの駆動力は伝達されない。
【００３８】
キャリッジ５０が移動することによって、駆動切り替えアーム６２を矢印Ａの方向に移動させると、遊星ギアがフリーになるので搬送ローラ３６の正転、逆転に応じて遊星ギアが移動し、搬送ローラ３６が正転したときは給送部２に駆動力が伝達され、逆転したときはポンプ６０に駆動力が伝達される。
【００３９】
（５）排出部
排出部４には、２本の排出ローラ４１ａ、４１−１ａと、搬送ローラ３６および第１の排出ローラ４１ａに当接する第１の伝達ローラ４０と、第１の排出ローラ４１ａと第２の排出ローラ４１−１ａに当接する第２の伝達ローラ４０−１とが設けられている。搬送ローラ３６の駆動力は、第１の伝達ローラ４０を介して第１の排出ローラ４１ａに伝達される。さらに、第２の伝達ローラ４０−１を介して第２の排出ローラ４１−１ａに伝達される。また、第１の排出ローラ４１ａ、第２の排出ローラ４１−１ａに従動して回転可能となるように、第１の拍車４２、第２の拍車４２−１がそれぞれ第１の排出ローラ４１ａ、第２の排出ローラ４１−１ａに当接して配されている。さらに、第１の拍車４２、第２の拍車４２−１には、クリーニングローラ４４が回転可能に当接して配されている。
【００４０】
以上の構成によって、キャリッジ部５で画像形成された記録シートＰは、排出ローラ４１ａ、４１−１ａと拍車４２、４２−１とに挟まれて搬送され、排出トレイ１００に排出される。
【００４１】
さらに、第２の排出ローラ４１−１ａの下流側には、排出された記録シートＰを支持するための排出サポート１０４が設けられている。排出サポート１０４は、案内部材１０２に回動可能に取り付けられている。案内部材１０２は、プラテン３４に対して突出および収納可能である。排出サポート１０４は、案内部材１０２の直線動作に伴い、回転動作する。なお、本実施形態の記録装置１０１は、記録シートの幅方向に５つの排出サポート１０４を備えている。
【００４２】
次に、本実施形態の記録装置の排出部４の構成及び動作を図３〜図１１を参照して説明する。図３は、本実施形態の記録装置１０１の全体構成を示す斜視図である。図４は、本実施形態の記録装置における、搬送ローラ３６、ピンチローラ３７、拍車４２、排出ローラ４１ａ等の位置関係を模式的に表した斜視図である。図５は、本実施形態の記録装置における、拍車４２、排出ローラ４１ａ等の位置関係を模式的に表した断面図である。図６は、記録装置１０１の排出部４を下方から見た斜視図である。図７は、図６の部分拡大図である。図８は、記録装置１０１の排出サポートの駆動部を示す部分拡大図である。図９〜図１１は、本実施形態の記録装置１０１における排出部４の動作を示すための、排出部４の断面図である。
【００４３】
図３に示すように、プラテン３４の上面には、記録シートＰの搬送方向に延びる複数の凸リブ３４ａが、記録シートＰの幅方向に所定の間隔をおいて設けられている。また、プラテン３４の下流側には、記録シートＰの搬送方向に沿って（記録シートＰの幅方向において）各凸リブ３４ａと同一直線上に第１の排出ローラ４１ａ、第２の排出ローラ４１−１ａが設けられている。第２の排出ローラ４１−１ａの下流側には、排出サポート１０４が設けられている。
【００４４】
以上の構成により、記録シートＰは、記録領域において搬送ローラ３６とピンチローラ３７及び第１の排出ローラ４１と第１の拍車４２とによって、記録ヘッド７との間隔が適正に保たれている。そして、記録シートＰは、排出ローラ４１、４１−１と拍車４２、４２−１とによって挟持され排出される。
【００４５】
本実施形態の記録装置１０１では、プラテン３４の凸リブ３４ａと、拍車４２、４２−１と、排出サポート１０４とを、記録シートＰの搬送方向に沿って（記録紙シートＰの幅方向において）略同一直線上に配置することによって、記録時のコックリングをプラテン３４の各凸リブ３４ａの間に下凸で発生させるようにしている。図５に、記録時のコックリングが、プラテン３４の各凸リブ３４ａの間に下凸で発生している様子を示す。
【００４６】
次に、本実施形態の記録装置１０１における、排出サポート１０４の構成について説明する。排出サポート１０４は、案内部材１０２、１０３によって支持され、プラテン３４に対して突出および収納可能である。排出サポート１０４がプラテン３４から突出すると、排出サポート１０４は記録領域において記録シートＰが支持される水平面よりも上方へ記録シートＰを案内支持する。
【００４７】
記録シートＰのサイズがＡ４幅サイズであった場合には、記録シートＰは排出サポート１０４−１〜１０４−３により支持される。記録シートＰのサイズがＡ３幅サイズであった場合には、記録シートＰは排出サポート１０４−１〜１０４−５により支持される。いずれの場合でも、排出サポート１０４は、記録シートＰの中心付近が自重で下方へ下がるように記録シートＰにコシを与える。本実施形態の記録装置１０１では、Ａ３幅サイズを基本にして、排出サポート１０４−１と１０４−５とが同じ形状である。また、排出サポート１０４−２、１０４−４が同じ形状である。
【００４８】
また、プラテン３４より突出した状態において、排出サポート１０４−１、１０４−５の下流側最上端部（記録シート支持部）の高さは、排出サポート１０４−２、１０４−４の下流側最上端部の高さよりも高くなっている。また、前述のように、記録シートＰのサイズが、Ａ４幅サイズであった場合には、記録シートＰは排出サポート１０４−１〜１０４−３で支持されるが、排出サポート１０４−３の下流側最上端部の高さは、排出サポート１０４−２の下流側最上端部の高さよりも若干高くなっている。
【００４９】
本実施形態の記録装置１０１では、Ａ３幅サイズの記録シートＰに濃度があまり高くない記録をする場合は、記録シートＰは排出サポート１０４−１、１０４−３、１０４−５により支持される。また、Ａ３幅サイズの記録シートＰに高濃度の記録をする場合は、記録シートＰが排出サポート１０４−１、１０４−５の内側で座屈して折れ曲がるのを防ぐため、記録シートＰは排出サポート１０４−２、１０４−４により支持される。なお、排出サポート１０４−３の下流側最上端部の高さを排出サポート１０４−２、１０４−４の下流側最上端部の高さよりも高くしたが、排出サポート１０４−３の下流側最上端部の高さを排出サポート１０４−２、１０４−４の下流側最上端部の高さと同じ、または低くしてもよい。
【００５０】
図９に示すように、排出サポート１０４−１、１０４−２は、案内部材１０２の軸１０２ｃを中心に案内部材１０２に回動可能に支持されている。排出サポート１０４−３〜１０４−５も同様に、案内部材１０３の軸（不図示）を中心に、案内部材１０３に回動可能に支持されている。
【００５１】
排出サポート１０４は、記録シート支持部１０４ｂが下流側へ向かって徐々に傾斜して高くなる形状をしている。記録後の記録シートＰの先端が記録シート支持部１０４ｂに当接し、記録シートＰは記録シート支持部１０４ｂに支持されて滑らかに搬送される。また、排出サポート１０４は、後述のプラテン３４のカムレール３４１〜３４４と当接して排出サポート１０４の下流側の記録シート支持部１０４ｂの高さ方向の位置を決めるために、上流側にカム山１０４ａを有する。さらに、排出サポート１０４は、上流側下部にボス１０４ｃを有している。図１０、図１１に示すように、カム山１０４ａとカムレール３４１〜３４４とが常時安定して当接するように、排出サポート１０４と案内部材１０２との間にはバネ１１４が挿入されている。
【００５２】
図６に示すように、案内部材１０２の両側には、プラテン３４に設けられたガイド溝３４ｃと係合する凸形状のガイドレール１０２ｂが設けられている。案内部材１０２は、ガイドレール１０２ｂとプラテン３４のガイド溝３４ｃ内とを摺動しながら直線的に移動することにより、プラテン３４に対して突出および収納される。案内部材１０３も同様に、ガイドレール１０３ｃとプラテン３４のガイド溝３４ｃ内とを摺動しながら直線的に移動することにより、プラテン３４に対して突出および収納される。なお、図６、図７に示すように、案内部材１０３には、凸形状のガイドレール１０３ｃが３ヶ所設けられており、それぞれがプラテン３４のガイド溝３４ｃと係合する。
【００５３】
また、案内部材１０２の下部には１ヶ所にラック１０２ａが設置されており、案内部材１０３の下部には２ヶ所にラック１０３ａ、１０３ｂが設置されている。また、プラテン３４の下方には、プラテン３４に設けられた軸受け３４ｂで回転可能に支持される駆動軸１０９が設けられている。駆動軸１０９に設けられたピニオンギア１０９ａ〜１０９ｃと前述の案内部材１０２、１０３のラック１０２ａ、１０３ａ、１０３ｂとが係合することによって案内部材１０２、１０３が移動する。なお、ピニオンギア１０９ａはラック１０２ａと噛み合い、ピニオンギア１０９ｂはラック１０３ａと噛み合い、ピニオンギア１０９ｃはラック１０３ｂと噛み合う。
【００５４】
以上の構成により、案内部材１０２、１０３は、駆動軸１０９の回転によってプラテン３４に対して突出および収納されるように直線運動をする。案内部材１０２、１０３は、プラテン３４から突出する際には、不図示の所望の位置で位置決めされる。
【００５５】
一方、駆動軸１０９の端部には、ギア１０９ｄが設けられている。伝達ギア１１０、１１１はプラテン３４に設置された軸受け３４ｄに回転可能に支持されている。伝達ギア１１０と同軸上に設置された伝達ギア１１１は、モータ１１２のモータギア１１３と噛み合っている。なお、伝達ギア１１０と伝達ギア１１１の間には、バネ（不図示）によって付勢されるトルクリミッタ（不図示）が内蔵されている。そのため、モータ１１２の駆動により案内部材１０２、１０３が移動し、突き当たって停止する際には、ピニオンギア１０９ａ、１０９ｂ、１０９ｃとラック１０２ａ、１０３ａ、１０３ｂとの間で歯飛びが発生することはない。
【００５６】
次に、排出サポート１０４の動作について説明する。本実施形態の記録装置１０１においては、排出サポート１０４は、記録ヘッドによる記録開始前に突出し、記録終了後の排出動作と同時に退避するように制御される。
【００５７】
本実施形態の記録装置１０１においては、モータ１１２の駆動によってモータギア１１３が回転し、伝達ギア１１１にその駆動力が伝えられ、伝達ギア１１０、ギア１０９ｄを介して駆動軸１０９に駆動力が伝達され、駆動軸１０９が回転する。駆動軸１０９に設けられたピニオンギア１０９ａ〜１０９ｃと、ラック１０２ａ、１０３ａ、１０３ｂとの噛み合いによって、案内部材１０２、１０３が直線的に移動する。案内部材１０２、１０３の移動に応じて、排出サポート１０４は、案内部材１０２、１０３に対して突出および収納される。
【００５８】
図９は、排出サポート１０４がプラテン３４から突出し、記録シートＰを支持している状態を示す図である。図１０は、排出サポート１０４の下流側の記録シート支持部１０４ｂが最下点にあり、案内部材１０２がプラテン３４から突出またはプラテン３４へ収納される途中の状態を示す図である。図１１は、案内部材１０２がプラテン３４へ収納された状態を示す図である。
【００５９】
図１１に示すように、案内部材１０２がプラテン３４に収納されたとき、排出サポート１０４は案内部材１０２に収納されている。このとき、カム山１０４ａは、バネ１１４によってプラテン３４のカムレール３４４に当接した状態となっている。
【００６０】
図１０に示すように、駆動軸１０９のピニオンギア１０９ａが回転すると、ピニオンギア１０９と係合するラック１０２ａが移動することによりに案内部材１０２が突出し始める。排出サポート１０４のカム山１０４ａは、バネ１１４の力に抗してプラテン３４のカムレール３４４、３４３に沿って摺動する。
【００６１】
排出サポート１０４の記録シート支持部１０４ｂが第２の排出ローラ４１−１ａを過ぎ、カム山１０４ａがカムレールの斜面３４２と当接すると、カム山１０４ａは下方へ下げられ、排出サポート１０４の記録シート支持部１０４ｂが徐々に上方へ上げられる。そして、図９に示すように、カム山１０４ａがカムレールの最下流面３４１と当接した状態で記録シート支持部１０４ｂは最上位置となる。案内部材１０２はプラテン３４の所定位置に突き当たって停止し、排出サポート１０４の記録シート支持部１０４ｂも所定位置で保持される。記録シートＰは先端が第２の拍車４２−１を過ぎた後、排出サポート４７の傾斜面に当接し、その傾斜面に沿って搬送され、その下流側最上端部で支持される。
【００６２】
ここで、排出サポート１０４〜１０８の突出および収納のタイミングについて説明する。排出サポート１０４〜１０８の突出および収納のタイミングは、記録シートのサイズや記録領域と同期して図１２に示すフローチャートのように制御手段によって制御される。
【００６３】
図１２において、記録命令が出されると、前回記録を行ったときからの時間を求める。そして、前回の記録動作から所定時間以上経過している場合には排出サポート１０４〜１０８を動作させず、所定時間以内の場合には排出サポート１０４〜１０８を動作させる。排出サポート１０４〜１０８は、記録ヘッドにより記録開始前に突出し、記録シートの後端が略排出ローラ４１ａの位置にあるときに収納される。
【００６４】
すなわち、記録が行われた記録シートも所定時間経過するとインクが乾燥して、後から排出される記録シートによりスミアは発生しにくくなる。そこで、本実施形態では、前回記録を行ったときから所定時間以上経過している場合は、排出サポートを動作させないよう制御する。
【００６５】
（第２の実施形態）
次に、本発明の第２の実施形態の記録装置について説明する。本実施形態の排出サポート１０４〜１０８の動作制御を図１３に示す。本実施形態においては、記録装置の電源がＯＮされた後、１枚目の記録シートに記録を行うときは排出サポート１０４〜１０８を動作させない。なお、電源のＯＮは、ハードパワーＯＮと、ソフトパワーＯＮと、のいずれの場合も含むものである。
【００６６】
これ以外の動作は、第１の実施形態と同様である。
【００６７】
（第３の実施形態）
次に、本発明の第３の実施形態の記録装置について説明する。本実施形態の排出サポート１０４〜１０８の動作制御を図１４に示す。本実施形態においては、排出トレイに記録シートの有無を検出するスイッチを設ける。そして、このスイッチで記録シートが無しと検出したときは排出サポート１０４〜１０８を動作させず、記録シートが有りと検出したときは排出サポート１０４〜１０８を動作させる。
【００６８】
これ以外の動作は、第１の実施形態と同様である。
【００６９】
（第４の実施形態）
次に、本発明の第４の実施形態の記録装置について説明する。本実施形態の排出サポート１０４〜１０８の動作制御を図１５に示す。本実施形態においては、記録動作を開始すると前回記録を行った記録シートとの画像の濃度により排出サポート１０４〜１０８の動作制御を行う。すなわち、前回記録を行った記録シートの濃度が所定値以下の場合は排出サポート１０４〜１０８を動作させず、前回記録を行った記録シートの濃度が所定値よりも大きい場合は排出サポート１０４〜１０８を動作させる。
【００７０】
これ以外の動作は、第１の実施形態と同様である。
【００７１】
また、上述の各実施形態は、記録ヘッドを主走査方向に移動させるシリアルタイプの記録装置に、本発明を適用した構成となっている。しかし、本発明は、記録シートの幅方向の全域に渡って延在する記録ヘッドを用いて、記録シートを連続的に搬送しつつ、記録ヘッドによって画像を記録するフルラインタイプの記録装置に対しても適用することができる。
【００７２】
また、上述の各実施形態は、インクジェット方式のうち、いわゆるＢＪ方式の記録ヘッドを用いた例について説明した。しかし、本発明は、このような記録ヘッドの記録方式によらず、種々の記録方式に適用できる。記録ヘッドの記録方式としては、例えば、ＢＪ方式以外に、ピエゾ方式のものでもよく、また、インクジェット方式でなく、熱転写方式等、種々の記録素子を備えた方式の記録ヘッドも用いることができる。
【００７３】
【発明の効果】
以上説明したように、本発明によれば、支持部材を保持部材に対して突出および収納する制御手段を備え、制御手段は、前回の記録動作から所定時間以上経過している場合には、支持部材を動作させないため、騒音の小さい記録装置を提供することができる。
【図面の簡単な説明】
【図１】本発明の第１の実施形態の記録装置の全体構成を示す斜視図である。
【図２】本発明の第１の実施形態の記録装置の全体構成を示す断面図である。
【図３】本発明の第１の実施形態の記録装置の全体構成を示す斜視図である。
【図４】本発明の第１の実施形態の記録装置における、搬送ローラ、ピンチローラ、拍車、排出ローラ等の位置関係を模式的に表した斜視図である。
【図５】本発明の第１の実施形態の記録装置における、拍車、排出ローラ等の位置関係を模式的に表した断面図である。
【図６】本発明の第１の実施形態の記録装置の排出部を下方から見た斜視図である。
【図７】図６の部分拡大図である。
【図８】本発明の第１の実施形態の記録装置の排出サポートの駆動部を示す部分拡大図である。
【図９】排出サポートがプラテンから突出し、記録シートを支持している状態を示す図である。
【図１０】排出サポートの下流側の被記録媒体支持部が最下点にあり、案内部材がプラテンから突出またはプラテンに格納される途中の状態を示す図である。
【図１１】案内部材がプラテンに格納された状態を示す図である。
【図１２】本発明の第１の実施形態の記録装置における、排出サポートの動作を説明するフローチャートである。
【図１３】本発明の第２の実施形態の記録装置における、排出サポートの動作を説明するフローチャートである。
【図１４】本発明の第３の実施形態の記録装置における、排出サポートの動作を説明するフローチャートである。
【図１５】本発明の第４の実施形態の記録装置における、排出サポートの動作を説明するフローチャートである。
【図１６】従来のインクジェット記録装置の全体構成を示す斜視図である。
【図１７】従来のインクジェット記録装置の全体構成を示す断面図である。
【図１８】従来のインクジェット記録装置における、搬送ローラ、ピンチローラ、拍車、排出ローラ等の位置関係を模式的に表した斜視図である。
【図１９】従来のインクジェット記録装置における、拍車、排出ローラ等の位置関係を模式的に表した断面図である。
【符号の説明】
１、１０１、１１０１、２１０１　記録装置
２　給送部
３　搬送部
４　排出部
５　キャリッジ部
６　クリーニング部
７　記録ヘッド
８　シャーシ
２０　ベース
２１　圧板
２２　給送回転体
２３　可動ガイドサイド
２４　圧板バネ
２５　分離パッド
２６　分離爪
２７　土手部
２８　切り替えレバー
３０　ピンチローラガイド
３２　ＰＥセンサ
３３　上ガイド
３４　プラテン
３４ａ　凸リブ
３４ｂ、３４ｄ　軸受け
３４ｃ　カイド溝
３５　ＰＥセンサレバー
３６　搬送ローラ
３７　ピンチローラ
３８　軸
４０、４０Ａ　伝達ローラ
４１、４１Ａ　排出ローラ軸
４１Ａ、４１Ａａ　排出ローラ
４２、４２ａ　拍車
５０　キャリッジ
６０　ポンプ
６１　キャップ
６２　駆動切り替えアーム
８０　キャリッジモータ
８１　ガイド軸
８２　ガイドレール
８３　タイミングベルト
８４　アイドルプーリ
１００　排出トレイ
１０２、１０３　案内部材
１０４　排出サポート
１０９　駆動軸
１１０、１１１　伝達ギア
１１２　モータ
１１３　モータギア
１１４　バネ
１２０　ローラ
３４１〜３４３　カムレール
【図１】
2004009693.tif 000003
【図２】
2004009693.tif 000004
【図３】
2004009693.tif 000005
【図４】
2004009693.tif 000006
【図５】
2004009693.tif 000007
【図６】
2004009693.tif 000008
【図７】
2004009693.tif 000009
【図８】
2004009693.tif 000010
【図９】
2004009693.tif 000011
【図１０】
2004009693.tif 000012
【図１１】
2004009693.tif 000013
【図１２】
2004009693.tif 000014
【図１３】
2004009693.tif 000015
【図１４】
2004009693.tif 000016
【図１５】
2004009693.tif 000017
【図１６】
2004009693.tif 000018
【図１７】
2004009693.tif 000019
【図１８】
2004009693.tif 000020
【図１９】
2004009693.tif 000021